(57)【要約】【課題】  容量の大きいコンデンサを発光開始時から遅延させて放電させる為に、コンデンサと放電管間に直列接続されるサイリスタ等のスイッチング素子が必要となり、回路規模が大きくなってしまう。【解決手段】  第1の照明手段である放電管の微小発光領域では、第2の照明手段である白色LEDやランプを発光させて被写体を照射する。【選択図】  図１
2005173124.tif 000002
【特許請求の範囲】
【請求項１】
電気エネルギーを蓄えるコンデンサ、コンデンサに蓄えられた電気エネルギーを光に変換する第１の照明手段である放電管と、前記放電管の発光を制御する第１の制御手段と放電管とは別に第２の照明手段を有する閃光装置において、
前記第１の照明手段の必要発光量を判断する判断手段を有し、
該必要発光量が判断手段により所定値より小さいと判断された時、第２の照明手段を用いて露光を行なう事を特徴とする閃光装置。
【請求項２】
第２の照明手段に白色ＬＥＤを用いることを特徴とする請求項１の閃光装置。
【請求項３】
第２の照明手段にランプを用いることを特徴とする請求項１の閃光装置。
【請求項４】
第２の照明手段は赤目緩和機能としても動作することを特徴とする請求項１の閃光装置。
【請求項５】
請求項１の判断手段は第２の照明手段に切替える放電管の必要発光量の所定値にヒステリシス特性をもたせることを特徴とする閃光装置。
【請求項６】
第１の照明手段である放電管を用いて露光を行なった場合と、第２の照明手段を用いて露光を行なった場合において、使用した照明手段に対応する色情報をカメラに通信する事を特徴とする請求項１の閃光装置。
【発明の詳細な説明】
【技術分野】
【０００１】
本発明は閃光装置を微小発光領域にて制御させて撮影を行なった場合におけおる、露出のオーバーを防止する技術に関するものである。
【背景技術】
【０００２】
閃光装置における放電管は発光時急峻な立ち上がりと、発光制御手段への発光停止信号から放電電流の停止するまでの遅延により、図4ｂの斜線部分（Ｐ１）の光量分だけ閃光装置による露光量がオーバーしてしまう欠点があった。（図４ａは発光制御手段への発光制御信号である。）この欠点を補う為に、例えば、発光開始時に容量の小さいコンデンサを放電させ、その後容量の大きいコンデンサを放電させる事により微小発光時の露出オーバーを防止するものが提案されている（例えば、特許文献１参照）。
【特許文献１】特公平05-73007号公報
【発明の開示】
【発明が解決しようとする課題】
【０００３】
しかしながら、従来例では容量の大きいコンデンサを発光開始時から遅延させて放電させる為に、コンデンサと放電管間に直列接続されるサイリスタ等のスイッチング素子が必要となり、回路規模が大きくなってしまう欠点があった。
【課題を解決するための手段】
【０００４】
上記問題を解決する為に本発明の第1の発明では、電気エネルギーを蓄えるコンデンサ、コンデンサに蓄えられた電気エネルギーを光に変換する第１の照明手段である放電管と、前記放電管の発光を制御する第１の制御手段と放電管とは別に第２の照明手段を有する閃光装置において、前記第１の照明手段の必要発光量を判断する判断手段を有し、該必要発光量が判断手段により所定値より小さいと判断された時、第２の照明手段を用いて露光を行なう事を特徴とする。
【０００５】
第２の発明では、第２の照明手段に白色ＬＥＤを用いることを特徴とする。
【０００６】
第３の発明では、第２の照明手段にランプを用いることを特徴とする。
【０００７】
第４の発明では、第２の照明手段は赤目緩和機能としても動作することを特徴とする。
【０００８】
第５の発明では、前記判断手段は第２の照明手段に切替える放電管の必要発光量の所定値にヒステリシス特性をもたせることを特徴とする。
【０００９】
第６の発明では、第１の照明手段である放電管を用いて露光を行なった場合と、第２の照明手段を用いて露光を行なった場合において、使用した照明手段に対応する色情報をカメラに通信する事を特徴とする。
【発明の効果】
【００１０】
以上発明した様に第1の照明手段である放電管の微小発光領域では、第2の照明手段である白色LEDやランプを発光させて被写体を照射することにより、露出がオーバーする事を防止する事が可能となっている。
【００１１】
また露光に使用した照明手段に対応した色情報をカメラに送信する事が可能となっている為に、カメラ側で色情報の記録、また色補正をかけることが可能となっている。
【発明を実施するための最良の形態】
【００１２】
（第１の実施例）
図１は本発明における第1の実施例である閃光装置の構成を表す電気回路のブロック図である。以下に説明を記述する。
【００１３】
101は電源である電池、102は電池101の電圧を数百Ｖに昇圧する昇圧手段、103は昇圧手段103にて昇圧された電気エネルギーを蓄積する主コンデンサ、105は主コンデンサ103で蓄えられた電気エネルギーを光に変換する第１の照明手段である放電管、104は放電管105の発光時に数ＫＶの高電圧を印加させ放電管104を励起させる既存のトリガ手段、106は放電管105の発光を制御する第１の発光制御手段で、既知のＩＧＢＴやサイリスタなどのスイッチング素子により構成される。107は閃光装置の各動作を制御するマイクロコンピュータ（以下マイコン）である。
【００１４】
112は積分手段であり受光素子113にて受光した放電管105の発光量をマイコン107のINT端子の出力を受けると積分を開始し、積分手段112の出力はコンパレータ115の反転入力に入力される。コンパレータ115の非反転入力はマイコン107のDAコンバータ出力端子DA1と接続されている。114はANDゲートで入力はコンパレータ115の出力とマイコン107出力端子CTRL1端子と接続されていて、ANDゲート114の出力は第１の発光制御手段106と接続されている。
【００１５】
108は撮影者が閃光装置の設定を入力する手段、109は第２の照明手段である単数又は複数の白色LEDである。110は白色LED109の発光および光量可変する第２の発光制御手段である。第２の発光制御手段はマイコン107の出力端子CTRL2端子とDAコンバータ出力端子であるDA2に接続されている。
【００１６】
111は不図示のカメラとのインターフェースであり、111Aはマイコン107のCLK端子に接続され該端子よりカメラからのクロック信号をマイコン107が受信し、111Bはマイコン107のDI端子に接続され該端子よりカメラからのクロック信号に同期したカメラからのデータをマイコン107が受信し、111Cはマイコン107のDO端子に接続され該端子よりカメラからのクロック信号に同期した閃光装置からカメラへのデータをマイコン107が送信する。111Dはマイコン107のX端子に接続され該端子よりカメラからの発光開始信号をマイコン107が受信する。111EはGND端子である。
【００１７】
第２の発光制御手段の詳細を図2に沿って以下に説明する。
【００１８】
PNPトランジタ201のエミッタは第2の照明手段である白色LED109のカソードに接続され、コレクタは抵抗202を介してＧＮＤに接続され、ベースは抵抗205を介しNPNトランジスタ206のエミッタと接続される。204はPNPトランジスタ201のエミッタ、ベース間に接続された抵抗である。
【００１９】
コンパレータ203の反転入力はトランジスタ201のコレクタと抵抗202との接続点に接続され、非反転入力はマイコン107のDA2端子と接続され、出力はオープンコレクタ型でありトランジスタ206のベースと接続される。
【００２０】
トランジスタ206のベースは抵抗207を介しマイコン107のCTRL2端子と接続され、エミッタはGNDと接続される。
【００２１】
上記第２の発光制御回路はマイコン107のCTRL2端子出力がHighとなると、マイコン107のDA2で設定された電圧に応じて白色LED109を定電流駆動する事により、発光制御と発光強度の制御を行なうことが可能になっている。
【００２２】
次に不図示のカメラからの赤目緩和機能の為に第2の照明手段を発光させる通信処理を図10のフローチャートに沿って説明する。
【００２３】
不図示のカメラからのクロックが8ビット（1バイト）分、マイコン107に111A端子から入力されると通信割り込み処理がスタートする。（S601）
S602では不図示のカメラからのコマンドが赤目緩和機能発光開始の通信であればS605に進み、そうでなければS603に進む。
【００２４】
S603では赤目緩和機能以外の通信処理を行なう。
【００２５】
S604では通信割込みを終了しメインルーチンに戻る。
【００２６】
S605では赤目緩和機能時における第2の照明手段である白色LEDの発光強度に対応した第2の発光制御手段内のコンパレータ203への非反転入力に印加する電圧をマイコン107のDA2端子に設定する。
【００２７】
S606ではCTRL2端子をHighにする。これにより第2の照明手段は発光を開始する。
【００２８】
S607では赤目緩和機能の発光時間を制御する発光時間タイマをスタートさせる。
【００２９】
S608では発光時間が終了したかを判別し、終了すればS609に進む。
【００３０】
S609ではCTRL2端子をLowにして第2の照明手段である白色LEDを消灯させ、S604へ進む。
【００３１】
次に不図示カメラから発光開始信号をマイコン107が111D端子を介して受けた場合のマイコン107の割り込み処理ついて図5のフローチャートに沿って説明する。
【００３２】
S101で割り込み処理をスタートする。
【００３３】
S102において発光開始信号を受ける前に不図示のカメラから指示された発光量、又は設定手段108で設定された発光量が微小発光領域であるフル発光の１／Ｎ以下であるかを判別し、１／Ｎ発光より大きい場合はS103に進み、１／Ｎ以下の場合はS106に進む。
【００３４】
S103では第１の照明手段である放電管105を発光させて被写体を照明する。発光終了後はS104に進む。S104では閃光装置の色情報に第1の照明手段である放電管の色情報（例えば色温度）を設定し、S105に進む。
【００３５】
S106では第２の照明手段である白色LED109を発光させて被写体を照明する。発光終了後はS107に進む。S107では閃光装置の色情報に第2の照明手段である白色LEDの色情報（例えば色温度）を設定し、S105に進む。
【００３６】
S105では発光の割り込み処理を終了してマイコン107はメインルーチンの処理を再開する。
【００３７】
S103での第１の照明手段である放電管105の発光処理を図６のフローチャートに沿って詳細を説明する。
【００３８】
S201で処理をスタート。
【００３９】
S202でカメラから指示された発光量、又は設定手段108で設定された発光量に対応する積分手段112の出力電圧をマイコン107のDA1端子から出力する。
【００４０】
S203でマイコン107のCTRL1端子をHighに設定する。この時放電管は発光していないので積分手段112の出力電圧＜DA1の電圧であり、コンパレータ115の出力はHigh、つまりANDゲート114の出力もHighとなり第１の発光制御手段は導通状態となる。
【００４１】
S204では所定時間マイコン107のTRG端子をHighにすることにより放電管105は高電圧を受け励起される、これにより放電管105は発光を開始する。
【００４２】
S205ではマイコン107のINT端子をHighにすることにより、積分手段112は積分を開始する。受光センサ113が放電管105の発光を受光し、積分手段112の出力がDA1端子の電圧より高くなるとコンパレータ115の出力はLowとなり、ANDゲート114の出力もLowとなる。これにより第１の発光制御手段は遮断状態となり、放電管105の発光を停止させる。
【００４３】
S206で発光終了タイマをスタートさせる。
【００４４】
S207では発光終了時間を経過したかを判別し、終了していればS208に進む。
【００４５】
S208ではマイコン107のCTRL1端子をLowにする。
【００４６】
S209では積分手段112の動作を停止する為にマイコン107のINT端子をLowにする。
【００４７】
S210で処理を終了する。
【００４８】
次にS106での第2の照明手段である白色LEDの発光処理を図7のフローチャートに沿って詳細を説明する。
【００４９】
S301で処理をスタート。
【００５０】
S302では白色ＬＥＤ109の発光強度と発光時間の積（図4ｃのH1×T1）が、設定された放電管105の発光量（図4ｂのPO）と同じになる様に、白色LED109の発光強度に対応した第2の発光制御手段のコンパレータ203への印加電圧をマイコン107のDA2端子から出力する。
【００５１】
S303ではCTRL2端子にHighを出力する。これにより第2の照明手段である白色LED109が発光を開始する。S304で発光時間タイマースタート。
【００５２】
S305では発光時間が終了したかを判別し、終了していればS306に進む。
【００５３】
S306ではマイコン107のCTRL2端子をLowにし、白色LED109の発光を停止させる。
【００５４】
S307で処理を終了する。
【００５５】
発光終了後の閃光装置の色情報をカメラに通信する処理を以下に図11のフローチャートに沿って説明する。
【００５６】
不図示のカメラからのクロックが8ビット（1バイト）分、マイコン107に111A端子から入力されると通信割り込み処理がスタートする。（S701）
カメラからの通信が閃光装置の色情報要求コマンドであればS705に進み、それ以外のコマンドであればS703に進む。
【００５７】
S705では返信データに色情報を設定しS704へ進む。設定されたデータは次の1バイト分のクロックに同期してマイコン107から111C端子を介してカメラへ送信される。
【００５８】
S703ではその他のコマンドの通信処理を行いS704に進む。
【００５９】
S704では通信割込みを終了し、メインルーチンに戻る。
【００６０】
本発明においてマイコン107が判断手段として動作を行なっている。
【００６１】
（第２の実施例）
本発明における第2の実施例の構成は第1の実施例と同じで、動作の差異は第1の実施例での図7のS302での白色LEDの発光強度と発光時間の設定方法だけである。以下に説明を行なう。
【００６２】
第2の実施例ではフォーカルプレーンシャッターでのスリット露光を想定している。
【００６３】
図4ｄの先幕、後幕はフォーカルプレーンシャッターの先幕、後幕の走行状態と時間を表している。
【００６４】
本実施例では発光強度（図4ｄのH2）とスリット時間（図4dのT2）の積が設定された放電管105の発光量（図4ｂのPO）と同じになる様にDA2端子の電圧を設定する。
【００６５】
本発明においては、フォーカルプレーンシャッターの先幕走行終了から後幕走行開始までの時間（全開時間）以上に第2の照明手段を点灯させ露光が可能なため、第2の照明手段の光量不足を補う効果もある。
【００６６】
また、第2の照明手段に点灯、消灯にタイムラグのある物を用いた場合でも、第2の照明手段が発光安定後に一定の発光強度で光ればよいので露出ムラを防止する事が可能となる。
【００６７】
（第３の実施例）
本発明における第３の実施例の構成は第1の実施例と同じで、動作の差異は第1の実施例での図5のS106における、第2の照明手段である白色LED109の発光処理部分だけである。
【００６８】
以下図8のフローチャートに沿って差異を説明する。
【００６９】
S401でスタート。
【００７０】
S402では白色ＬＥＤ109の発光強度、発光時間、発光回数の積（図4eのH3×T3×Ｍ）が設定された放電管105の発光量（図4ｂのPO）と同じになる様に、第2の照明手段である白色LED109の発光強度に対応した第2の発光制御手段への印加電圧をマイコン107のDA2端子から出力し、S403では上記条件を満たす様にCTRL2をHighにする時間とLowにする時間、つまりデューティと周波数を決定し動作させる。
【００７１】
S404で発光時間タイマースタート
S405では発光時間が終了したかを判別し、終了していればS406に進む。
【００７２】
S406ではマイコン107のCTRL2をLowにし、白色LED109の発光を終了させる。
【００７３】
S407で処理を終了する。
【００７４】
本実施例では第2の照明手段をデューティ制御して発光量を調整しているが、第1、第2の実施例においても第2の照明手段の発光強度が定電流回路で制御不可能な領域まで露光光量を落としたい場合に組み合わせて発光量を制御してもよい。
【００７５】
（第４の実施例）
本発明における第４の実施例の構成は第1の実施例と同じで、差異である不図示カメラから発光開始信号をマイコン107が111D端子を介して受けた場合のマイコン107の割り込み処理ついて図9のフローチャートに沿って説明する。
【００７６】
S501で割り込み処理スタート。
【００７７】
S502において発光開始信号の前に不図示のカメラから指示された発光量、又は設定手段108で設定された発光量が微小発光領域であるフル発光の１／Ｎ以下であるかを判別し、１／Ｎ発光より大きい場合はS503に進み、１／Ｎ以下の場合はS508に進む。
【００７８】
S508では第2の照明手段である白色LEDを使用して発光処理をしたFLG（LED_FLG）を１に設定しS509に進む。
【００７９】
S509では第２の照明手段である白色LED109を発光させて被写体を照明する。処理後S510に進む。S510では、閃光装置の色情報に第2の照明手段である白色LEDの色情報（例えば基準色温度からの差分）を設定しS511に進む。
【００８０】
S503ではLED_FLGが1であるか判別し、１であればS506に進み、0であればS504に進む。
【００８１】
S504では第１の照明手段である放電管105を発光させて被写体を照明する。発光終了後はS505に進む。S505では閃光装置の色情報に第1の照明手段である放電管の色情報（例えば基準色温度からの差分）を設定しS511に進む。
【００８２】
S506では発光指示量がフル発光の１／Ｎｂ（１／Ｎｂ＞１／Ｎ）以下であるかを判別し、そうであればS509に進み、そうでなければS507に進む。
【００８３】
S507ではLED_FLGを0に設定しS504に進む。
【００８４】
以上により閃光装置は前回の撮影時に第2の照明手段である白色LEDで発光した場合は発光閾値１／Ｎｂ（１／Ｎｂ＞１／Ｎ）となりヒステリシス特性を持つ事が可能となる。
【００８５】
また、S504での第1の照明手段の発光処理は第1の実施例における図6のフローチャートと同じ動作であり、S509での第2の照明手段の発光処理は第1、第2、第3の実施例における第2の照明手段における発光処理のいずれでも構わない。
【００８６】
（第５の実施例）
本発明における第5の実施例の構成と第1の実施例との差異は209の第2の照明手段が白色ＬＥＤでなくランプであることである。動作は第1、第2、第3、第4の実施例いずれであても構わない。
【図面の簡単な説明】
【００８７】
【図１】本発明の第1から４の実施例における閃光装置の電気回路のブロック図を表す図画である。
【図２】本発明の第1から5の実施例における第2の制御回路の電気回路を表す図画である。
【図３】本発明の第５の実施例における閃光装置の電気回路のブロック図を表す図画である。
【図４】本発明における各部の波形を表す図画である。
【図５】本発明の第1、第2、第３、第５の実施例における発光時の割り込み処理を表すフローチャートである。
【図６】本発明の第1から第5の発明における第1の照明手段の発光処理を表すフローチャートである。
【図７】本発明の第1、第2、第４、第5の発明における第２の照明手段の発光処理を表すフローチャートである。
【図８】本発明の3、４、５の発明における第２の照明手段の発光処理を表すフローチャートである。
【図９】本発明の第４の実施例における発光時の割り込み処理を表すフローチャートである。
【図１０】本発明の第1から第5の発明における第2の照明手段を赤目緩和機能の為に発光させた場合の処理を表すフローチャートである。
【図１１】本発明の第1から第5の実施例におけるカメラへの閃光装置の色情報通信処理を表すフローチャートである。
【符号の説明】
【００８８】
101  電池
102  昇圧手段
103  主コンデンサ
104  トリガ手段
105  放電管
106  第1の発光制御手段
107  マイクロコンピュータ
108  入力手段
109  白色LED
110  第2の発光制御手段
111  インターフェース
112  積分手段
113  受光素子
114  ANDゲート
115  コンパレータ
【図１】
2005173124.tif 000003
【図２】
2005173124.tif 000004
【図３】
2005173124.tif 000005
【図４】
2005173124.tif 000006
【図５】
2005173124.tif 000007
【図６】
2005173124.tif 000008
【図７】
2005173124.tif 000009
【図８】
2005173124.tif 000010
【図９】
2005173124.tif 000011
【図１０】
2005173124.tif 000012
【図１１】
2005173124.tif 000013